(57)【要約】【課題】  利用者に清掃作業が実行されたことと把握させると共に、不快感を取り除くことができる表示入力装置を提供すること。【解決手段】  表示面１１と透過型タッチパネル入力面１３を有する表示入力装置１において、前記透過型タッチパネル入力面１３への指触回数を計数する計数手段１５ｂと、前記指触回数が予め設定された規定値に到達したとき、前記透過型タッチパネル１３の清掃モードとし、該清掃モードにおいて、透過型タッチパネル入力面１３が指触検知されると該指触座標を特定し、該指触座標に対応する表示面１１の表示を変化させる制御手段１５とを有する。【選択図】  図１
2004265383.tif 000002
【特許請求の範囲】
【請求項１】
表示面と透過型タッチパネル入力面を有する表示入力装置において、
前記透過型タッチパネル入力面への指触回数を計数する計数手段と、
前記指触回数が予め設定された規定値に到達したとき清掃モードとし、
該清掃モードにおいて、
前記透過型タッチパネル入力面が指触検知されると該指触座標を特定し、
該指触座標に対応する前記表示面の表示を変化させる制御手段とを有することを特徴とする表示入力装置。
【請求項２】
請求項１において、
前記清掃モード時に前記制御手段は、
入力するために指触する操作キーの一部またはおよび全てを前記表示面に表示させ、
前記操作キーの少なくとも一部が指触されると当該指触座標に相当する部位の表示を、消去または視覚的に識別可能な色または線に変化させる表示入力装置。
【請求項３】
請求項１において、
前記清掃モード時に前記制御手段は、
前記表示面を第１の色で表示し、指触座標に相当する部位のみ第２の色に変化させる表示入力装置。
【請求項４】
請求項２において、
前記清掃モード時に表示される操作キーは文字のない無文字キーとする表示入力装置。
【請求項５】
請求項２において、
前記表示面に表示する操作キーの色がすべて変化すると、清掃済みを意味する情報を少なくとも入力メニュー選択画面に表示する表示入力装置。
【請求項６】
請求項３において、
前記表示面の全域が第２の色に変化すると、清掃済みを意味する情報を少なくとも入力メニュー選択画面に表示する表示入力装置。
【発明の詳細な説明】
【技術分野】
【０００１】  本発明は、利用者が表示面に指触することによって入力操作を行う表示入力装置に関する。
【背景技術】
【０００２】  情報処理端末等の電子機器において、ディスプレイ装置に文字や絵柄等からなる入力メニュー（選択肢）を画面表示し、その画面上にタッチパネルを配列したものがある。その表示画面上に表示された入力メニューのいずれかの部位に触れたとき、その触れた部位の位置座標についての情報を出力するものである。この表示画面は不特定多数の利用者が触れるため汗等によって汚れ易く、また、埃、ヤニ、虫等により慢性的に汚れ易い状況になり、利用者に不快感を与え、不衛生でもあった。このような課題に対して表示画面上の汚れを検知し、清掃手段を作動させるものが考えられている（例えば、特許文献１参照）。また、同課題に対して、表示画面を覆う保護スクリーンを配設し、保護スクリーンを巻き取るとともにその保護スクリーンに当接するブラシにより汚れを拭き取る清掃機構が考えられている。更に、ブラシには洗浄液が浸潤させてあり、より確実に汚れを除去できるようになっている（例えば、特許文献２参照）。【０００３】  定期的に表示画面の清掃を行う場合に、通常の受付メニューなどが表示されたまま清掃が行われると、画面の色により汚れのある部分とない部分の識別がうまくできず、汚れ取り残しを生じることもある。このような問題に対して、清掃モードが指定された場合に表示画面に濃色画像を表示し、タッチパネル面に付着している汚れが鮮明に見えるようにしたものがある（例えば、特許文献３参照）
【特許文献１】特開平１１−５３１１３号公報
【特許文献２】特開２００１−３２１７３２号公報
【特許文献３】特開平１０−２０８１１０号公報
【発明の開示】
【発明が解決しようとする課題】
【０００４】  利用者の触れるタッチパネル面を清掃する技術は存在するが、その清掃するタイミングは「利用者の利用に制約を与えない時間」、即ち、清掃動作は利用者の監視下で行われるものではないので、利用者にとっては清掃動作が実行されたか否かは把握しにくい。表示画面を注意深く観察して「汚れていないこと」が把握できるのみである。よって、不衛生ではない状態の表示画面であっても現実的には利用者の不快感を確実に取り除くことができない。【０００５】  この発明は上記問題点に鑑みなされたもので、表示画面上の操作キーが規定回数以上触れられたら清掃作業を要求する。そして清掃終了時には清掃済みを意味する表示等を行う。よって、利用者は清掃作業が実行されたことを目視によって把握でき、不快感を取り除くことができる装置を提供することを目的とする。
【課題を解決するための手段】
【０００６】  上記課題を解決するために本発明は、表示面と透過型タッチパネル入力面を有する表示入力装置において、透過型タッチパネル入力面への指触回数を計数する計数手段と、指触回数が予め設定された規定値に到達したとき清掃モードとし、該清掃モードにおいて、透過型タッチパネル入力面が指触検知されると該指触座標を特定し、該指触座標に対応する前記表示面の表示を消去または視覚的に識別可能な色または線に変化させる制御手段とを有する。
【発明の効果】
【０００７】  不特定多数の利用者が触れる表示面を現実的に清掃・除菌するとともに、その清掃・除菌が行われたことが容易に把握できるので、利用者に不快感を与えることがない。
【発明を実施するための最良の形態】
【０００８】  本発明の実施の形態を説明する。図１は本発明の自動交付機における表示入力装置の制御ブロック図であり、図２は自動交付機の正面図である。
【実施例１】
【０００９】  図において、１は表示入力装置で、自動交付機２を操作するための入力操作を行う部位である。自動交付機２は図示しないホストコンピュータ３に回線接続され、ホストコンピュータ３に記憶・管理される個人情報を受信することができる。なお、回線接続され、通信される個人情報には所定のセキュリティ対策が施されているが、本願に直接関係しないため記載は省略する。【００１０】  表示入力装置１は利用者が希望する証明書を入手するために操作する操作画面表示や情報入力するためのものである。この表示入力装置１に操作開始時の操作画面、例えば証明書である“住民票写し”“印鑑証明”などを表示して、その表示に従って処理が選択，進行されるようになっている。この表示入力装置１は自動交付機２おいて、利用者が操作を行うための透過型タッチパネル入力面（以後、タッチパネルとする）等で構成されている。【００１１】  ２１は住民基本台帳カード（以後、住基カードとする）２１１や保守カード２１２を挿入、および返却が行われるカード挿入・返却口であって，内部には住基カード２１１等から記憶情報を読み出すカードリーダ部２１３が接続されている。２２は紙幣投入口であって、各種証明書の発行手数料を紙幣で支払う場合に、利用者が紙幣を投入する部位である。この紙幣投入口２２に接続される紙幣処理部２２１は、投入された紙幣の真偽、金種を識別し、更に枚数を計数すると共に保管する。２３は硬貨投入口であって、発行手数料を硬貨で支払う場合に、利用者が硬貨を投入する部位である。この硬貨投入口２３に接続される硬貨処理部２３１は、投入された硬貨の真偽、金種を識別し、更に枚数を計数すると共に保管する。【００１２】  ２４は釣銭出金口であり、発行手数料の支払時に釣銭が生じたときにその金額に相当する貨幣を排出する部位である。この釣銭出金口２４は先に説明した紙幣処理部２２１および硬貨処理部２３１に接続されており、当該部位より釣銭として出金される。また、硬貨として投入されたが真偽および金種判定できない硬貨（異物）を返却する返却口の機能も兼ねている。２５はレシート受取口であって、発行手数料の明細票兼領収書（以後、レシートとする）２５２を印刷して排出するレシート処理部２５１と接続されている。【００１３】  ２６は書類受取箱であって、発行する証明書２６２への印字、契印、製本を行う証明書印刷部２６１と接続され、利用者の希望した証明書２６２の排出箱である。なお、書類受取箱２６には、箱内に排出された証明書２６２の有無を監視する監視手段を有し、利用者が証明書２６２を抜き取ると、それを検知することができるようなっている。２７は係員呼出しボタンであって、操作が判らないときなどに利用者が機器管理者等を呼び出すための部位である。２８は以上の各部を制御する制御部である。【００１４】  次に表示入力装置１の細部について説明する。１１は表示面であるカラーＬＣＤ表示部（以後、表示部とする）であって、利用者に必要な情報を文字や絵柄で表示する報知手段である。この表示部１１はＬＣＤコントローラ１２により画像表示が制御される。この表示部１１に操作手順やその他の情報がイラスト文字あるいは文言，絵柄で表示されると共に、“住民票写し”や“印鑑証明”等の操作キーの表示が行われる。この表示部１１を覆うように、画素毎に複数に区分され、その画素毎に接触検知する透明型タッチパネル入力面としてのタッチパネル１３が設けられている。【００１５】  タッチパネル１３の接触検知面は透明平板上の周囲に複数の赤外線発光素子及び受光素子を、例えば２．５４ｍｍ間隔で互いに対向して設けることによりマトリックス光線路を形成したものである。所定のタイミングで直交放射される赤外線路を指が遮断することにより指触された座標が検知される。この座標を深索する座標深索手段としてタッチパネルコントローラ１４が位置づけられる。タッチパネル１３の指触部となるのは、前述したように発行素子および受光素子による光線路により構成されるため、現実的には表示部１１の上面を覆う透明平板となる。本願ではこの透明平板を含めてタッチパネル１３とする。なお、光走査方式以外の抵抗膜方式（透明電極方式），超音波方式および静電容量方式であってもよいことは言うまでもない。【００１６】  １５は制御手段であるＣＰＵ（Ｃｅｎｔｒａｌ  Ｐｒｏｃｅｓｓｉｎｎｇ  Ｕｎｉｔ）であって、前述した表示部１１の表示制御を始め、メモリ１６から情報の読出し等の制御を行うものである。なお、ＬＣＤコントローラ１２，タッチパネルコントローラ１４もＣＰＵ１５が制御する。１５ａは清掃モード切替部であって、特定の操作キーへの指触回数を計数する計数手段である計数部１５ｂよりの情報から、指触回数が規定回数に到達すると清掃モードを起動させるものである。１６はメモリであって、表示画像データや案内用文字データを記憶している。【００１７】  次に指蝕座標の検知方法を図３により説明する。
図３は指触検知を示す説明図であって、タッチパネル１３を概念的に記載したものである。図において、左縦列（Ｙ１〜Ｙｎ）と上横列（Ｘ１〜Ｘｎ）には赤外光線１３Ｘ，１３Ｙを発する発光素子が２．５４ｍｍ間隔でアレイ状に並んでいる。また、右縦列と下横列には先の発光素子に対向して配置された受光素子が２．５４ｍｍ間隔でアレイ状に並んでいる。そして、タッチパネルコントローラ１４が所定のタイミングで発光素子Ｙ１から順にＹｎまで発光させ、そのとき受光素子の出力有無によりタッチ有無を検出する。この受光素子の出力有無を短時間に繰り返して行うことにより指触点の座標が検知できる。
また、横列についても同様にタッチパネルコントローラ１４が所定時間間隔で発光素子Ｘ１から順にＸｎまで発光させ、そのとき受光素子の出力有無により指触有無を検出する。このようにして縦列と横列の受光素子の出力状況を検知することにより指触座標が検知される。【００１８】  図３では受光素子が赤外線を検知しないときを、出力「１」として右端及び下端に記載した。この出力「１」となったとき、画素を１単位とする。この画素の指触座標は予め表示部１１の表示画素との関連づけがなされている。即ち、表示部（ＬＣＤ）１１についても２．５４ｍｍ間隔で画素が割り当てられている。このように受光素子の検知結果から得られる指触座標（位置）は図３に示すように現実的には指触不完全な領域を含めた指触領域１３Ｗ（太い枠線）として検知されてしまうことになるが、無視して指触座標として扱う。
１３Ｐは係員等の指先が実際にタッチパネル１３に接触した個所を示し、斜線部が指触検知される画素である。また、指２本で指触されると領域１３Ｗ（太線枠で図示）が２個所検知される。なお、後述する不織布３０に覆われる領域３０ａ（一点鎖線で図示）等が指触座標として検知される場合は、その中心座標を算出して利用してもよい。【００１９】  次に本発明の自動交付機の処理動作を簡単に説明する。図４はその処理動作を示すフローチャートである。なお、ＳＡは動作ステップを示し、利用者が「住民票写し」を１通だけ交付することを要求するものとして説明する。
自動交付機２は待機状態では表示部１１に、お知らせや案内メッセージ等を表示する待機画面を表示している（ＳＡ１）。利用者が自動交付機２に近づくと、図示せぬ接近検知器がこれを検知して（ＳＡ２）、表示部１１を待機画面から入力メニュー選択画面に切替える（ＳＡ３）。この入力メニュー選択画面が図５に示したようなものであり、住民票写しボタン１０１、印鑑証明ボタン１０２、納税証明ボタン１０３、更には確認ボタン１０４や取消ボタン１０５が所定の位置に表示されている。なお、図５にて「清掃除菌」文字を表示した画面清掃済みマーク１１０は、表示されている場合と表示されていない場合がある（詳細は後述する）。【００２０】  利用者が住民票写しボタン１０１を指触し、続けて確認ボタン１０４を指触するとメニューが選択されたことになる（ＳＡ４）。ＣＰＵ１５は、表示部１１に「住民基本台帳カードを挿入してください」と表示させる。住基カード２１１が挿入されると制御部２８は、挿入された住基カード２１１に記憶されている情報の読み取りを行う（ＳＡ５）。ＣＰＵ１５は住基カード２１１に記憶されている個人情報の読み取りが完了した信号を受信して、図示しないテンキー表示１０９を行いパスワードの入力を求める。パスワードが入力されると（ＳＡ６）、ＣＰＵ１５はパスワード情報を制御部２８に送信する。制御部２８は住基カード２１１から読み取った情報と、受信したパスワード情報をホストコンピュータ３に送信する。【００２１】  ホストコンピュータ３から正規の利用者であることの信号が送られてくると、制御部２８はＣＰＵ１５を介して表示部１１に手数料の表示を行い、貨幣の投入を要求する。利用者が紙幣投入口２２および、または硬貨投入口２３から紙幣や硬貨を投入する。投入された紙幣や硬貨はそれぞれ紙幣処理部２２１、硬貨処理部２３１で真偽、金種判定および計数が行われる。制御部２８は計数結果（金額）と手数料金額と比較して、釣銭が生じる場合には釣銭出金口２４から釣銭を排出することになる（ＳＡ７）。【００２２】  制御部２８は、手数料と同一またはそれ以上の金額が投入されたことを確認した時点で証明書２６２（住民票写し）の印刷を開始するとともに、レシート２５２の印刷も開始する。このレシート２５２には日時、書類名、手数料、そして釣銭がある場合にはその金額、領収を意味する文言等を印刷する。レシート２５２の印刷が終了するとレシート受取口２５に排出する（ＳＡ８）。続けて、住基カード２１１もカード挿入・返却口２１に排出して利用者に返却する（ＳＡ９）。そして、証明書２６２の１通を書類受取箱２６に排出して交付処理が終了する（ＳＡ１０）。なお、取消ボタン１０５が指触されたときには、１ステップ前の操作画面に戻る。【００２３】  次に指触部の清掃処理案内について図６に示すフローチャートに従って説明する。
ＣＰＵ１５は図５に示した入力メニュー選択画面において、確認ボタン１０４の指触された回数を計数する計数部１５ｂを作動している（ＳＢ１）。なお、確認ボタン１０４の指触回数としたのは、どのような証明書類を選択しても、必ず確認ボタン１０４を指触する操作を行うので、概ねの処理件数を把握できるためである。よって、制御部２８により証明書の発行処理件数等を積算してもよいことは言うまでもない。ＣＰＵ１５は計数値が規定回数（例えば、５０回）に達したら清掃作業の実行に移行する（ＳＢ２）。【００２４】  まず、利用者の要求している証明書２６２、例えば「住民票写し」の発行終了を監視し、住基カード２１１及びレシート２５２が抜き取られたこと、更に書類受取箱２６に「住民票写し」を収納したことを検知したら（ＳＢ３）、表示部１１に「係員により画面の清掃／除菌を行う時間になりましたので、しばらくお待ちください」と表示する（ＳＢ４）。一方、ＣＰＵ１５は制御部２８に清掃要求信号を送信し、ホストコンピュータ３から回線接続されている管理端末５（例えば、清掃係員用のパーソナルコンピュータ等）に、清掃要求を意味する信号を送信させる（ＳＢ５）。【００２５】  自動交付機１に係員が近づくと（ＳＢ６）、「ただいま清掃準備中です、お急ぎのお客様は、窓口にお越しください」等の誘導画面を表示して、清掃の準備中であることを報知する（ＳＢ７）。なお、運用面で自動交付機１は係員と利用者との識別はできないので、接近検知した時点で画面を切替えることになる。係員はカード挿入・返却口２１から保守カード２１２を挿入する（ＳＢ８）。この保守カード２１２は住基カード２１１と外形は同じであっても記憶されている情報が異なり、単純に清掃モードに切替えるための情報のみである。保守カード２１２はカードリーダ部２１３により記憶情報が読み出され（ＳＢ９）、制御部２８により解析されＣＰＵ１５に送信される。【００２６】  ＣＰＵ１５はこの信号により、清掃モード切替部１５ａを作動させて、清掃モードに画面制御を切替える。図７に示したような係員誘導画面を表示する（ＳＢ１０）。係員は天然繊維や化学繊維又は再生繊維等で形成される化学雑巾や不織布（以後、不織布とする）３０と洗浄液３１を準備して自動交付機１の場所に進み出る。係員が開始ボタン１０６を指触すると（ＳＢ１１）、ＣＰＵ１５はメモリ１６より清掃モード時に表示する操作キー画面情報を読み出して、そのすべての操作キーを表示部１１に表示する（ＳＢ１２）。なお、全ての操作キーを表示することに限定するものではなく、指触頻度の少ない操作キーなどを除いて一部の操作キーのみ表示してもよい。【００２７】  また、ステップＳＢ１１にて中止ボタン１０７が指触されたときには入力メニュー選択画面に戻って、１回だけ証明書の発行処理を行い、ステップＳＢ３に戻ることになる。これにより、利用者が順番待ち列を作っているときなどに係員立会のもとで処理を続けさせることができ、サービスの低下にならない。
上記表示は通常の操作キーと異なり、テンキー表示１０９の表示個所であればテンキー位置は同じであるが表示文字のない無文字キー１０９ａとして少なくともキーの外枠を表示する。この表示例が図８（ａ）に示すものである。無文字キーとする理由は、操作文字を表示すると利用者に運用中であると誤解されるためである。なお、このときには通常の操作キーの表示色と代えたものでもよい。【００２８】  不織布３０がタッチパネル１３に触れる（現実的には、指圧が加わった部位）を監視し（ＳＢ１３）、タッチパネルコントローラ１４が指触検知した指触座標をＣＰＵ１５に送信する。ＣＰＵ１５は連動して直に、受信した指触座標情報に対応する表示部１１の表示個所のみ他の色に切替える（ＳＢ１４）。例えば、背景色を第１の色として「青」色とし、無文字キー１０９ａ等が第２の色である「灰」色であれば、指触検知した部位を第１の色である背景色（青色）と同じ色に変化させる。図８（ｂ）に示す矢印Ａ方向に清掃操作（画面拭き取り）を行うと、指触検知した部分を背景色と同一（視覚的に識別できない程度の色彩の差は同一とする）に変化させる。すると、図示例では無文字キー１０１ａ，１０２ａ，１０７ａの外枠線分の一部が消去（背景色と区別できない）された表示になる。なお、第２の色を第３の色である「クリーム」色に変化させたり、外枠線分を実線から破線に変化、更には太線から細線への変化などでもよい。【００２９】  無文字キー１０９ａ等の外枠線分が表示されている部分は、清掃不完全な領域であると係員は目視で判断する。そして無文字キー１０９ａ等の表示域をすべてタッチ（清掃）すると表示部１１には、無文字キー１０９ａは言うまでもなく、外枠線分すら表示されていなくなるように制御する。この事象はあたかも黒板にチョークで記載した文字や図形を黒板消しで消し去るような感覚である。このようにして全ての操作キーの表示域がタッチ（拭き取り）されると（ＳＢ１５）、ＣＰＵ１５は図８（ｃ）に示すような清掃終了画面を表示する。係員が終了ボタン１０８を指触すると、表示部１１に「カードを抜き取ってください」と表示するとともに（ＳＢ１６）、制御部２８にカード排出要求を出す。制御部２８は、カードリーダ部２１３を駆動させ、保守カード２１２を排出させる。【００３０】  保守カード２１２が係員により抜き取られると（ＳＢ１７）、ＣＰＵ１５により図８（ｄ）に示すような清掃除菌終了を示す画面表示に切替え、待機モードになる（ＳＢ１８）。係員および利用者はこの画面を見ることにより清掃、除菌が行われたことを視覚的に認識できる。ＣＰＵ１５は計数部１５ａによる確認ボタン１０４の指触計数値をクリアする。なお、証明書の発行操作を待っていた利用者が開始ボタン１０６を指触すると、ＣＰＵ１５は図５に示した入力メニュー選択画面の表示に移行させる。この表示画面には、清掃済みを意味する情報、例えば画面清掃済みマーク１１０の表示が加わり、以降計数部１５ｂが確認ボタン１０４の指触回数の計数を開始し、第２の規定回数（例えば２０回）になるまで表示される。第２の規定回数を越えたら画面清掃済みマーク１１０の表示はＣＰＵ１５により消去制御される。
【実施例２】
【００３１】  この実施例２では、操作キーの表示（指触）位置をランダムに変化させる制御を行っている場合である。このような制御は、特にパスワードなどの入力をその指触位置から第三者に盗み見されても読み取られないように表示位置を変えるときである。本実施例２の場合は、前述したステップＳＢ１２における無文字キーを表示することなく、表示部１１の背景色を第１の色（例えば、青色）で表示する。そして、タッチパネル１３が指触された場所のみ第１の色と異なることが目視で識別可能な第２の色（例えば、灰色）、または第３の色（例えば、クリーム色）に変化させる。【００３２】  図９を用いて説明をすると、まず清掃作業開始時には表示部１１の全域（背景）を単一の表示色（第１の色）で表示する。そして、係員の指がタッチパネル１３に最初に触れた座標を始点１３ａとしてタッチパネルコントローラ１４が検知する。ＣＰＵ１５は始点１３ａの位置を検知すると、指等の移動に合わせて連続検知される座標を軌跡として図９（ａ）に示す一点鎖線のように連続的に判別する。この指触した軌跡座標に相当する表示部１１の座標位置の表示色を変化させる。図９（ｂ）に示すように表示色変化部１３ｂが表示される。このようにして表示部１１の全域を不織布３０で拭き取ることになるが、拭き残した部位は未指触部１３ｃとして背景色と同色表示（図示の白ヌキ部）のままなので容易に識別できる。【００３３】  このようにして、全域の拭き取りが終了すると、未指触部１３ｃとして背景色とした部位が無くなる。ＣＰＵ１５は未指触部１３ｃが無くなったことを検知すると、前述した図８（ｃ）の表示を行って清掃を終了させる。その後の入力メニュー選択画面には清掃済みを意味する情報（例えば、画面清掃済みマーク１１０）が加わる。なお、前述した説明では、未指触部１３ｃが無くなったことを検知しないと終了しないことになるが、これに限定されるものではなく、許容量（例えば、指触部分が９０％以上であること）の未指触部１３ｃが残っていても終了させるように制御させることもできる。また、指触部位を連続的に認識する技術は特開平９−２４５２２４号公報に開示されるようなもので容易に実現できる。【００３４】  以上の実施例では、タッチパネル上で指触された座標に対応して、１回の指触検知で最終的に表示する色に変化させたが、これに限定されない。例えば、１回目の指触検知で、やや濃度を薄く変化させ、２回目では更に薄い色に変化させ、３回目の指触検知で最終的に表示する色となるよう段階的に表示色を変化させてもよい。この場合、汚れが酷い場合や、洗浄液の利用制限（例えば、乾拭きを推奨されているとき）があるときなど、複数回の拭き取り操作を要求する場合に適用できる。更に、通常のサービス時には確認キーの指触回数に応じて、操作キー色や背景色を自動的に変化させる運用を行えば、係員が画面色を目視する機会があったとき清掃要求の発生時刻予測もできる。
【実施例３】
【００３５】  図１０は実施例３における表示入力装置の制御ブロック図であり、実施例１の表示入力装置（図１）とは画像入力手段１７と画像読取コントローラ１８が異なる。その他は実施例１で示したものと同一であるので、説明は省略する。なお、画像入力手段１７の構成は特開平１１−５３１１３号公報に開示されたものでよい。作用としては、清掃が必要な事態に到達したら、表示部１１の全域を白色系の表示色として画像入力手段１７を作動させ、表示部１１の全域を走査する。この走査により採取した画像を解析し、予め採取した汚れのない白色系表示画面と比較する。そして、比較結果により濃度差のある部分を切出して汚れ有りと判定し、その部位（座標情報）のみを表示部１１上に表示色を変えて図１１に示すように汚染部１３ｅとして表示する。【００３６】  このように汚染部１３ｅを表示することで、係員にその部位をより念入りに清掃させることができる。また、清掃後に画像入力手段１７を走査させて画像解析し、清掃の良否確認を行うこともできる。このように汚染部１３ｅを目視可能に表示することで、従来（特に特許文献３）技術より容易に清掃個所の認識をすることができる。
【実施例４】
【００３７】  図１２は実施例４における表示入力装置の制御ブロック図であり、実施例１の表示入力装置（図１）とは保護スクリーン１９とスクリーンコントローラ２０が異なる。その他は実施例１で示したものと同一であるので説明は省略する。なお、タッチパネル１３Ｒは抵抗膜方式のものとすると実装が容易である。この保護スクリーン１９の構造および制御は特開平１０−３１４３１号公報や特開２００１−３２１７３２号公報等に開示されているものでよい。差異としては、保護スクリーン１９の移動に伴って、表示部１１の画面表示も保護スクリーン１９と同方向に移動（スクロール）変化させるものである。【００３８】  図１３に示すように、保護スクリーン１９を矢印Ｂで示すように右から左に移動（左側に巻き上げる）するときに、その移動速度にほぼ合わせて操作キーの表示もスクロールしながら左側に移動するように表示画面を制御する。具体的には、図１４（ａ）が清掃開始前の状態であり、表示部１１上には、操作キーが表示されている。ここで保護スクリーン１９が左側に巻き上げられると、図１４（ｂ）のように清掃中表示１１０ａが右端より現れ、左側に移動していく。このようにして要清掃部１９ａは左側に巻き上げられる。一画面分の保護スクリーン１９が巻き上げられると未汚染部１９ｂで表示面の全面が覆われる。そして矢印Ｂ方向への移動が終了すると初期画面に戻る。この画面を利用者が目視したとき、清掃除菌が行われたことを視覚的に把握できる。
【産業上の利用可能性】
【００３９】  本発明は上記の実施例の自動交付機に限定されない。即ち、駅やコンビニエンスストアに設置されている券（チケット）発売機、病院やイベント入場口の受付端末機、マンション等の入室管理用の開錠機器、更には金融機関のＡＴＭなど不特定多数の利用者が操作する表示入力装置に利用できる。更に、洗浄液には消臭効果を有する物質や香料（例えば、フルーツの香り）を含ませ、画面清掃済みマークを、その香りを発生させるもの（例えば、同フルーツの絵図）とすれば、利用者に目視以外でも清掃の実施を知らせることもできる。
【図面の簡単な説明】
【００４０】
【図１】本発明の表示入力装置の制御ブロック図である。
【図２】本発明の自動交付機の正面図である。
【図３】本発明の指触検知を示す説明図である。
【図４】本発明の自動交付機の処理動作を示すフローチャートである。
【図５】本発明の自動交付機の入力メニュー選択画面を示す説明図である。
【図６】本発明の自動交付機の動作フローチャートである。
【図７】本発明の手作業による清掃時の誘導画面表示例の説明図である。
【図８】本発明の手作業による清掃時の画面制御例の説明図である。
【図９】本発明の実施例２における手作業による清掃時の画面制御例の説明図である。
【図１０】本発明の実施例３における表示入力装置の制御ブロック図である。
【図１１】本発明の実施例３の手作業による清掃時の誘導画面表示例の説明図である。
【図１２】本発明の実施例４における表示入力装置の制御ブロック図である。
【図１３】本発明の実施例４における自動清掃時の画面制御例の概念図である。
【図１４】本発明の実施例４における自動清掃時の画面変化例の説明図である。
【符号の説明】
【００４１】１  表示入力装置
２  自動交付機
１１  表示面（カラーＬＣＤ表示部、表示部）
１２  ＬＣＤコントローラ
１３  透過形タッチパネル入力面（タッチパネル）
１４  タッチパネルコントローラ
１５  制御手段（ＣＰＵ）
１５ａ  清掃モード切替部
１５ｂ  計数手段（計数部）
１６  メモリ
１７  画像入力手段
１８  保護スクリーン
２１  カード挿入・返却口
２１１  住民基本台帳カード（住基カード）
２１２  保守カード
２１３  カードリーダ部
２６  書類受取箱
【図１】
2004265383.tif 000003
【図２】
2004265383.tif 000004
【図３】
2004265383.tif 000005
【図５】
2004265383.tif 000006
【図４】
2004265383.tif 000007
【図７】
2004265383.tif 000008
【図６】
2004265383.tif 000009
【図８】
2004265383.tif 000010
【図９】
2004265383.tif 000011
【図１１】
2004265383.tif 000012
【図１０】
2004265383.tif 000013
【図１２】
2004265383.tif 000014
【図１３】
2004265383.tif 000015
【図１４】
2004265383.tif 000016